(57)【要約】【課題】細い外形の多極回路遮断器装置であって、共通トリップカプラーが少なくとも２つの別個の回路遮断器を接続するために使用される、多極回路遮断器装置を提供することが望まれている。【解決手段】回路遮断器組立体は、複数の回路遮断器を含み、これら回路遮断器は、内部にトリップ機構を有するハウジングをそれぞれ含み、且つそれぞれのハウジングの側面に開口部をそれぞれ有している。各トリップ機構は、それに接続されたカプラーディスクを有している。複数の回路遮断器は、ハウジングの側面に沿って位置決めされ且つカプラーディスクに接続されたトリップ部材により、端部と端部とが接続した方式で整列させられ、このため、第１トリップ機構が非トリップ状態からトリップ状態に作動するときに、トリップ部材は、第２トリップ機構を非トリップ状態からトリップ状態へ作動させる（逆もまた同様である）。【選択図】図１
2017033934.tif 000002
【特許請求の範囲】
【請求項１】
第１軸を有する第１トリップ機構を収容する第１ハウジングを有する第１回路遮断器であって、前記第１ハウジングが円形開口部を有する、第１回路遮断器と；
第２軸を有する第２トリップ機構を収容する第２ハウジングを有する第２回路遮断器であって、前記第２ハウジングが円形開口部を有する、第２回路遮断器と；
前記第１ハウジングの前記円形開口部内に位置決めされ且つ前記第１トリップ機構に接続された第１カプラーディスクと；
前記第２ハウジングの前記円形開口部内に位置決めされ且つ前記第２トリップ機構に接続された第２カプラーディスクと；
第１回動接続部を有する第１端部と、第２回動接続部を有する第２端部と、を有する長尺トリップ部材と；
前記長尺トリップ部材を覆って位置決めされたカバーであって、前記第１回路遮断器及び前記第２回路遮断器に留められた、カバーと；
を備える回路遮断器組立体であって、
前記第１回路遮断器及び前記第２回路遮断器が、前記第１軸及び前記第２軸が平行であり且つ所定距離離されるように、整列させられ；
前記第１トリップ機構が非トリップ状態からトリップ状態に作動するときに、前記長尺トリップ部材が前記第２トリップ機構を非トリップ状態からトリップ状態に作動させるように、前記第１回動接続部が前記第１カプラーディスクに接続され、且つ前記第２回動接続部が前記第２カプラーディスクに接続されていることを特徴とする回路遮断器組立体。
【請求項２】
前記第１回路遮断器が、前記非トリップ状態と前記トリップ状態との間で前記第１トリップ機構を作動させるための第１ハンドルをさらに含み、
前記第２回路遮断器が、前記非トリップ状態と前記トリップ状態との間で前記第２トリップ機構を作動させるための第２ハンドルをさらに含み、
前記第１ハンドル及び前記第２ハンドルが、コネクタを介して互いに連結されていることを特徴とする請求項１に記載の回路遮断器組立体。
【請求項３】
前記コネクタが、第１留め具によって前記第１ハンドルに連結され且つ第２留め具によって前記第２ハンドルに連結されたバーを備えていることを特徴とする請求項２に記載の回路遮断器組立体。
【請求項４】
前記コネクタが、中央セクションを有する一体部品組立体であり、脚部の第１セット及び脚部の第２セットが、前記中央セクションの両側それぞれから突出し、前記脚部の第１セットが、内側に突出する第１突起のセットを有し、前記脚部の第２セットが、内側に突出する第２突起のセットを有し、前記突起の第１セットが、前記第１ハンドルと機能的に接続され、前記突起の第２セットが、前記第２ハンドルと機能的に接続されていることを特徴とする請求項２に記載の回路遮断器組立体。
【請求項５】
前記コネクタが、第１キャビティを有する第１端部と、第２キャビティを有する第２端部と、を含み、前記第１ハンドルが、前記第１キャビティ内に収まり、前記第２ハンドルが、前記第２キャビティ内に収まっていることを特徴とする請求項２に記載の回路遮断器組立体。
【請求項６】
前記第１ハウジングの前記円形開口部と前記第１カプラーディスクとの間の第１間隙と、前記第２ハウジングの前記円形開口部と前記第２カプラーディスクとの間の第２間隙と、が、前記第１ハウジングの前記円形開口部の内縁部が前記第１カプラーディスクの外縁部のための支持面として作用し且つ前記第２ハウジングの前記円形開口部の内縁部が前記第２カプラーディスクの外縁部のための支持面として作用するように、設けられていることを特徴とする請求項１に記載の回路遮断器組立体。
【請求項７】
第１トリップ機構を収容する第１ハウジングを有する第１回路遮断器であって、前記第１ハウジングが、第１側面と、前記第１側面と垂直な２つの端部と、を有し、前記２つの端部が、互いに平行である、第１回路遮断器と；
第２トリップ機構を収容する第２ハウジングを有する第２回路遮断器であって、前記第２ハウジングが、第２側面と、前記第２側面と垂直な２つの端部と、を有し、前記２つの端部が、互いに平行である、第２回路遮断器と；
前記第１側面及び前記第２側面に沿って延びている長尺トリップ部材であって、前記第１トリップ機構が非トリップ状態からトリップ状態へ作動するときに、前記長尺トリップ部材が前記第２トリップ機構を非トリップ状態からトリップ状態へ作動させるように、前記長尺トリップ部材が、前記第１側面の第１開口部を通じて前記第１トリップ機構に接続され、且つ前記第２側面の第２開口部を通じて前記第２トリップ機構に接続されている、長尺トリップ部材と；
を備える、回路遮断器組立体であって、
前記第１回路遮断器及び前記第２回路遮断器が、前記第２ハウジングの前記２つの端部の一方が前記第１ハウジングの前記２つの端部の一方と接触し且つ前記第１側面及び前記第２側面が同じ方向に向けられるように、整列させられていることを特徴とする回路遮断器組立体。
【請求項８】
前記第１回路遮断器が、前記非トリップ状態と前記トリップ状態との間で前記第１トリップ機構を作動させるための第１ハンドルを含み；
前記第２回路遮断器が、前記非トリップ状態と前記トリップ状態との間で前記第２トリップ機構を作動させるための第２ハンドルを含み；
前記第１ハンドル及び前記第２ハンドルが、コネクタを介して互いに連結されていることを特徴とする請求項７に記載の回路遮断器組立体。
【請求項９】
前記コネクタが、第１留め具によって前記第１ハンドルに連結され且つ第２留め具によって前記第２ハンドルに連結されたバーを備えていることを特徴とする請求項８に記載の回路遮断器組立体。
【請求項１０】
前記コネクタが、中央セクションを有する一体部品組立体であり、脚部の第１セット及び脚部の第２セットが、前記中央セクションの両側から突出し、前記脚部の第１セットが、内側に突出する第１突起のセットを有し、前記脚部の第２セットが、内側に突出する第２突起のセットを有し、前記突起の第１セットが、前記第１ハンドルに機能的に接続され、前記突起の第２セットが、前記第２ハンドルに機能的に接続されていることを特徴とする請求項８に記載の回路遮断器組立体。
【請求項１１】
前記コネクタが、第１キャビティを有する第１端部と、第２キャビティを有する第２端部と、を含み、前記第１ハンドルが、前記第１キャビティ内に収まり、前記第２ハンドルが、前記第２キャビティ内に収まっていることを特徴とする請求項８に記載の回路遮断器組立体。
【請求項１２】
前記回路遮断器組立体が、第１カプラー及び第２カプラーをさらに含み、前記第１カプラーが、前記第１ハウジングの前記第１開口部内に収まり、且つ前記第１トリップ機構に接続され、前記第２カプラーが、前記第２ハウジングの前記第２開口部内に収まり、且つ前記第２トリップ機構に接続され、前記長尺トリップ部材が、前記第１カプラー及び前記第２カプラーに接続されていることを特徴とする請求項７に記載の回路遮断器組立体。
【請求項１３】
前記第１ハウジングの前記第１開口部及び前記第２ハウジングの前記第２開口部が、円形であり、前記第１カプラー及び前記第２カプラーが、ディスクとして形成されていることを特徴とする請求項１２に記載の回路遮断器組立体。
【請求項１４】
前記第１開口部と前記第１カプラーディスクとの間の第１間隙と、前記第２開口部と前記第２カプラーディスクとの間の第２間隙と、が、前記第１ハウジングの前記第１開口部の内縁部が前記第１カプラーの外縁部のための支持面として作用し且つ前記第２ハウジングの前記第２開口部の内縁部が前記第２カプラーの外縁部のための支持面として作用するように、設けられていることを特徴とする請求項１３に記載の回路遮断器組立体。
【請求項１５】
前記第１回路遮断器が、前記非トリップ状態と前記トリップ状態との間で前記第１トリップ機構を作動させるための第１ハンドルを含み；
前記第２回路遮断器が、前記非トリップ状態と前記トリップ状態との間で前記第２トリップ機構を作動させるための第２ハンドルを含み；
前記第１ハンドル及び前記第２ハンドルが、コネクタを介して互いに連結されていることを特徴とする請求項１２に記載の回路遮断器組立体。
【請求項１６】
前記コネクタが、第１留め具によって前記第１ハンドルに連結され且つ第２留め具によって前記第２ハンドルに連結されたバーを備えていることを特徴とする請求項１３に記載の回路遮断器組立体。
【請求項１７】
前記コネクタが、中央セクションを有する一体部品組立体であり、脚部の第１セット及び脚部の第２セットが、前記中央セクションの両側から突出し、前記脚部の第１セットが、内側に突出する第１突起のセットを有し、前記脚部の第２セットが、内側に突出する第２突起のセットを有し、前記突起の第１セットが、前記第１ハンドルに機能的に接続し、前記突起の第２セットが、前記第２ハンドルに機能的に接続していることを特徴とする請求項１３に記載の回路遮断器組立体。
【請求項１８】
前記コネクタが、第１キャビティを有する第１端部と、第２キャビティを有する第２端部と、を含み、前記第１ハンドルが、前記第１キャビティ内に収まり、前記第２ハンドルが、前記第２キャビティ内に収まっていることを特徴とする請求項１３に記載の回路遮断器組立体。
【請求項１９】
複数の回路遮断器であって、各回路遮断器が、
第１側面と、前記第１側面と垂直な２つの端部と、を有するハウジングであって、前記２つの第１端部が、互いに平行である、ハウジングと、
オン位置とオフ位置との間で可動のハンドルと；
トリップ状態及び非トリップ状態を有する回路遮断器リンク機構であって、前記回路遮断器リンク機構が、前記回路遮断器リンク機構が状態を変えるときに少なくとも１つの接点の位置を変えるために配置され、前記回路遮断器リンク機構が、前記ハンドルと前記少なくとも１つの接点との間で動作可能に接続され、このため、前記ハンドルの手動操作が、前記回路遮断器リンク機構の運動を引き起こし、それにより、前記少なくとも１つの接点の運動を引き起こす、回路遮断器リンク機構と；
前記回路遮断器の前記第１側面上の開口部と；
を備える、回路遮断器と；
前記複数の回路遮断器の前記第１側面に沿って延在する長尺トリップ部材であって、前記回路遮断器リンク機構の１つが前記非トリップ状態から前記トリップ状態に作動するときに、前記複数の回路遮断器の残りの前記回路遮断器リンク機構も前記非トリップ状態から前記トリップ状態に作動されるように、前記長尺トリップ部材が、前記複数の回路遮断器の前記回路遮断器リンク機構のそれぞれに接続されている、長尺トリップ部材と；
前記複数の回路遮断器の各ハンドルを接続するハンドルカプラーであって、前記複数の回路遮断器が、同時に作動可能である、ハンドルカプラーと；
を備える回路遮断器組立体であって、
前記複数の回路遮断器が、前記第１側面が同じ方向に向けられ且つ所定の平面に沿って整列させられるように、端部と端部とが接続される方式で整列させられることを特徴とする回路遮断器組立体。
【発明の詳細な説明】
【技術分野】
【０００１】
本発明は、全体として多極回路遮断器装置に関し、特に、直列に配置された２つ以上の回路遮断器を提供する多極回路遮断器装置であって、１つの回路遮断器のトリップが、相互接続された遮断器を同時にトリップさせるように、回路遮断器トリップ機構がトリップ部材を介して接続された、多極回路遮断器装置に関する。
【背景技術】
【０００２】
本発明は、地絡又は短絡によって引き起こされる損傷から電気回路を保護するために使用される回路遮断器に関する。回路遮断器によって保護された回路内で電力サージが生じると、遮断器がトリップする。これは、“オン”位置にあった遮断器を“オフ”位置に反転させ、当該遮断器から導く電力を中断する。このようにトリップすることによって、回路遮断器は、過負荷回路で損傷が生じることを防止し、電気を得ているデバイス又は保護回路に接続された他のデバイスの破損も防止する。
【０００３】
代表的な回路遮断器は、ライン及び負荷を含んでいる。通常、ラインは、入力電力源、例えば公共ラインのような電力ネットワークから供給される電源に接続されている。これは、回路遮断器への入力と称されることもある。出力と称されることもある負荷は、電気回路と、回路遮断器から給電される回路に接続された構成要素と、に回路遮断器を接続する。回路遮断器は、回路遮断器に直接的に接続された個々の構成要素、例えば空気調節装置を保護するか、又は回路遮断器は、多数の構成要素、例えば電気的出口で終端する回路に接続された家庭電化製品を保護する。
【０００４】
パネルボードに固定されたタイプの回路遮断器を提供することが公知である。例えば、単極、二極及び三極回路遮断器がすべて公知であり、これら回路遮断器は、特定の回路に給電するために単相、二相及び三相回路にさまざま接続することができる。しかしながら、三相回路遮断器は、三相回路遮断器としてしか構成することができず、且つ単相負荷に給電するために使用することができない。
【０００５】
いくつかの用途では、２つ以上の回路遮断器が同時にトリップするように相互接続された２つ以上の回路遮断器を有することが望ましい。例えば、参照することによって本明細書に組み込まれる特許文献１は、多極回路遮断器装置を開示しており、この多極回路遮断器装置では、共通トリップカプラーが、スイッチケースの隣接する側壁を通って回路遮断器を接続している。この配置では、互いに反対側の部分が、隣接するスイッチケースの内部のＵ字状の共通トリップ部材の部分と協働し、これにより、これら共通トリップ部材の回動運動を引き起こし、カプラーの同軸運動、ひいては隣接するケース内の隣接するトリップ部材の同軸運動を達成する。また、多極回路遮断器は、互いに一斉に遮断器を作動させるための長尺内部コネクタに取り付けられた単一のハンドルを有している。
【０００６】
しかしながら、特許文献１で開示される回路遮断器装置は、多くの欠点を有している。例えば、遮断器の配置は、かさばるだけでなく、回路遮断器パネル内に収まるために大きなスペースを必要とする。これは、空間が制限されるとともに細い設置面積の多極回路遮断器が必要とされる状況下で問題となる。このような状況は、通常、現代の空間効率のよい回路遮断器パネルにおいて、また他の範囲、例えばサーバーの間の細い範囲に多極回路遮断器を有する必要があるサーバールームにおいて生じる。
【０００７】
従来技術の構成での別の問題は、開示された三極構成を組み立てるために、少なくとも３つの異なるタイプの回路遮断器を製造しなければならないことである。これは、スイッチケースの隣接する側壁におけるキャビティを通じて遮断器を相互接続する必要性によって余儀なくされる。従って、示される構成のために、中央遮断器は、隣接する側壁双方にキャビティを有していなければならない一方で、２つのサイド遮断器は、互いに反対側の側壁にキャビティを必要とする。従来技術の構成のさらに別の問題は、側壁キャビティのためだけでなく単一のハンドル装置のためにも異なるスイッチケースを形成しなければならないことである。従って、中央遮断器が、単一のハンドルのために頂部開口部を有する一方で、サイド遮断器のためのスイッチケースは平坦頂部を有する。結果として、開示される遮断器を組み立てるために、少なくとも６つの異なるケースが製造されなければならない。
【先行技術文献】
【特許文献】
【０００８】
【特許文献１】米国特許第４５０４８０７号明細書
【発明の概要】
【発明が解決しようとする課題】
【０００９】
従って、細い外形の多極回路遮断器装置であって、共通トリップカプラーが少なくとも２つの別個の回路遮断器を接続するために使用される、多極回路遮断器装置を提供することが望まれている。
【００１０】
製造及び開発に比較的安価な、より少ない固有のパーツを必要とする多極回路遮断器の構成を提供することが、さらに望まれている。
【課題を解決するための手段】
【００１１】
従って、１つの目的は、第１動作軸を有する第１トリップ機構を収容する第１ハウジングを有する第１回路遮断器であって、第１ハウジングが第１円形開口部を有する、第１回路遮断器と；第２動作軸を有する第２トリップ機構を収容する第２ハウジングを有する第２回路遮断器であって、第２ハウジングが第２円形開口部を有する、第２回路遮断器と；第１開口部内にあり且つ第１トリップ機構に接続された第１カプラーディスクと；第２開口部内にあり且つ第２トリップ機構に接続された第２カプラーディスクと；第１回動接続部を有する第１端部と、第２回動接続部を有する第２端部と、を有する長尺トリップ部材と；長尺トリップ部材を覆って延在するカバーであって、第１回路遮断器のハウジング及び第２回路遮断器のハウジングに留められた、カバーと；を含む回路遮断器組立体であって、第１回路遮断器及び第２回路遮断器が、第１動作軸及び第２動作軸が略平行であり且つ第１距離だけ離されるように、整列させられ；第１トリップ機構が非トリップ状態からトリップ状態に作動するときに、長尺トリップ部材が第２トリップ機構を非トリップ状態からトリップ状態に作動させるように、第１回動接続部が第１カプラーディスクに接続され、且つ第２回動接続部が第２カプラーディスクに接続されている、回路遮断器組立体を提供することである。
【００１２】
別の目的は、回路遮断器のそれぞれが、非トリップ状態とトリップ状態との間でトリップ機構を手動作動させるためのハンドルを有する回路遮断器組立体であって、ハンドルが、コネクタを介して連結されている、回路遮断器組立体を提供することである。一例では、コネクタは、留め具を介してハンドルに取り付けられたバーであってもよい。
【００１３】
他の例では、コネクタは、中央セクションを有する一体部品組立体であり、脚部の第１セット及び脚部の第２セットが、中央セクションの両側から突出し、脚部の第１セットが、内側に突出する第１突起のセットを有し、脚部の第２セットが、内側に突出する第２突起のセットを有し、突起の第１セットが、一方のハンドルに接続し、突起の第２セットが、他方のハンドルに接続している。
【００１４】
さらなる他の例では、コネクタは、第１キャビティを有する第１端部と、第２キャビティを有する第２端部と、を有する長尺スライダであり、一方のハンドルが第１キャビティ内に収まり、他方のハンドルが第２キャビティ内に収まっている。
【００１５】
さらにさらなる目的は、第１開口部と第１カプラーディスクとの間の第１間隙と、第２開口部と第２カプラーディスクとの間の第２間隙と、が、第１開口部の内縁部が第１カプラーの外縁部のための支持面として作用し且つ第２開口部の内縁部が第２カプラーの外縁部のための支持面として作用するように、設けられている、回路遮断器組立体を提供することである。
【００１６】
これら及び他の目的は、第１トリップ機構を収容する第１ハウジングを有する第１回路遮断器であって、第１ハウジングが、側面と、第１ハウジングの第１端部と、第１ハウジングの第２端部と、を有し、第１ハウジングの第１端部及び第２端部が第１ハウジングの側面と垂直であり、且つ互いに平行である、第１回路遮断器と；第２トリップ機構を収容する第２ハウジングを有する第２回路遮断器であって、第２ハウジングが、側面と、第２ハウジングの第１端部と、第２ハウジングの第２端部と、を有し、第１端部及び第２端部双方が、第２ハウジングの側面と垂直であり、且つ互いに平行である、第２回路遮断器と；第１ハウジングの側面及び第２ハウジングの側面に沿って延びている長尺トリップ部材であって、第１トリップ機構が非トリップ状態からトリップ状態へ作動するときに、長尺トリップ部材が第２トリップ機構を非トリップ状態からトリップ状態へ作動させるように、長尺トリップ部材が、第１ハウジングの側面の開口部を通じて第１トリップ機構に接続され、且つ第２ハウジングの側面の開口部を通じて第２トリップ機構に接続されている、長尺トリップ部材と；を含む、回路遮断器組立体であって、第１回路遮断器及び第２回路遮断器が、第１ハウジングの第２端部及び第２ハウジングの第１端部が互いに接触するように、整列させられている、回路遮断器組立体を提供することによって達成される。
【００１７】
別の目的は、第１ハンドル及び第２ハンドルが、コネクタを介してともに機械的に連結されているように、第１回路遮断器が、非トリップ状態とトリップ状態との間で第１トリップ機構を手動作動させるための第１ハンドルを有し、第２回路遮断器が、非トリップ状態とトリップ状態との間で第２トリップ機構を手動作動させるための第２ハンドルを有する、回路遮断器組立体を提供することである。一例では、コネクタは、第１留め具によって第１ハンドルに取り付けられ且つ第２留め具によって第２ハンドルに取り付けられたバーである。
【００１８】
他の実施形態では、コネクタが、中央セクションを有する一体部品組立体であり、脚部の第１セット及び脚部の第２セットが、中央セクションの両側から突出し、脚部の第１セットが、内側に突出する第１突起のセットを有し、脚部の第２セットが、内側に突出する第２突起のセットを有し、突起の第１セットが、第１ハンドルに接続し、突起の第２セットが、第２ハンドルに接続している。
【００１９】
さらなる他の例では、コネクタは、第１キャビティを有する第１端部と、第２キャビティを有する第２端部と、を有する長尺スライダであり、第１ハンドルが第１キャビティ内に収まり、第２ハンドルが第２キャビティ内に収まっている。
【００２０】
さらにさらなる目的は、第１カプラー及び第２カプラーを含む回路遮断器組立体であって、長尺トリップ部材が第１カプラー及び第２カプラーに接続されるように、第１カプラーが、第１開口部内に収まり、且つ第１トリップ機構に接続され、第２カプラーが、第２開口部内に収まり、且つ第２トリップ機構に接続されている、回路遮断器組立体を提供することである。
【００２１】
別の目的は、それぞれのハウジングにおける第１開口部及び第２開口部が円形であり且つ第１カプラー及び第２カプラーがディスクとして設けられている、回路遮断器組立体を提供することである。所定の例では、第１開口部と第１カプラーディスクとの間の第１間隙と、第２開口部と第２カプラーディスクとの間の第２間隙と、が、第１開口部の内縁部が第１カプラーの外縁部のための支持面として作用し且つ第２開口部の内縁部が第２カプラーの外縁部のための支持面として作用するように、設けられている。
【００２２】
他の目的は、複数の回路遮断器であって、各回路遮断器が、側面と、側面と垂直な第１端部及び第２端部と、を有するハウジングであって、２つの端部が互いに平行である、ハウジング、を備える、回路遮断器を含む回路遮断器組立体を提供することによって達成される。回路遮断器組立体は、オン位置とオフ位置との間で可動のハンドルと、トリップ状態及び非トリップ状態を有する回路遮断器リンク機構と、をさらに含んでいる。回路遮断器リンク機構が、回路遮断器リンク機構が状態を変えるときに少なくとも１つの接点の位置を変えるために配置され、回路遮断器リンク機構が、ハンドルと少なくとも１つの接点との間で動作可能に接続され、このため、ハンドルの運動が、回路遮断器リンク機構の運動を引き起こし、それにより、少なくとも１つの接点の運動を引き起こす。回路遮断器リンク機構は、遮断器の第１側面上の開口部をさらに含み、複数の回路遮断器は、ハウジングの側面が同じ方向に向けられ且つ所定の平面上で整列させられるように、端部と端部とが接続して整列させられている。回路遮断器リンク機構は、長尺トリップ部材が複数の回路遮断器の側面に沿って延在し、回路遮断器リンク機構の１つが非トリップ状態からトリップ状態に作動するときに、複数の回路遮断器の残りの回路遮断器リンク機構も非トリップ状態からトリップ状態に作動されるように、長尺トリップ部材が、複数の回路遮断器の回路遮断器リンク機構のそれぞれに機械的に接続されているように、設けられている。最後に、回路遮断器リンク機構は、複数の回路遮断器の各ハンドルを接続するハンドルカプラーであって、使用者が複数の回路遮断器を同時に作動することを可能にする、ハンドルカプラーを含んでいる。
【００２３】
本発明の他の目的並びに本発明の具体的な特徴及び利点は、以下の詳細な説明及び添付の図面を検討することによって、より明らかになるであろう。
【図面の簡単な説明】
【００２４】
【図１】トリップ部材接続部の分解図を示す２つの回路遮断器の図である。
【図２】図１による２つの回路遮断器の図である。
【図３】閉鎖位置にある、図１による回路遮断器の一方の図である。
【図４】開放位置にある、図１による回路遮断器の一方の図である。
【図５】閉鎖位置にあるトリップ部材接続部を示す、図１による回路遮断器の図である。
【図６】開放位置にあるトリップ部材接続部を示す、図１による回路遮断器の図である。
【図７】トリップ部材接続部を示す、図５による回路遮断器の断面図である。
【図８】ハンドル接続部材の図である。
【図９】図８のハンドル接続部材を組み込む回路遮断器の図である。
【図１０】ハンドル接続部材の別の例の図である。
【図１１】図１０のハンドル接続部材を組み込む回路遮断器の図である。
【図１２】ハンドル接続部材を組み込む別の例の図である。
【図１３】図１２による回路遮断器装置の図である。
【発明を実施するための形態】
【００２５】
図１及び図２は、本発明の態様による多極回路遮断器１０を示している。図１は、多極回路遮断器１０の分解図を示している。多極回路遮断器は、２つの回路遮断器１２，１４を含み、これら回路遮断器１２，１４は、手動スイッチハンドル１５と、共通トリップ組立体２０を介して接続されたトリップ機構のためのアクチュエータ２２と、をそれぞれ有している。共通トリップ組立体２０は、２つの回路遮断器１２，１４を共に同様に接続するカバー２５によって隠されている。図１から分かるように、回路遮断器１２，１４双方は、外側ケース１６及び内側ケース１８から形成された同じハウジング組立体を有している。内側ケース１８は、トリップ機構のためのアクチュエータ２２へのアクセスを提供する円形開口部３２を有している。回路遮断器１２，１４のそれぞれは、そこから手動スイッチハンドル１５が延在する頂部３７と、頂部３７と同じ幅を有する２つの端部３６と、前面３５と、を有している。回路遮断器１２，１４は、端部３６と端部３６とが接続して整列させられ、回路遮断器１２，１４のそれぞれの前面３５は、より大きな面を形成している。アクチュエータ２２は、アクチュエータ回動点２３が、好ましい実施形態では前面３５の長さ３８以上である距離だけ離されるように、離されている。
【００２６】
共通トリップ組立体２０は、２つの回路遮断器１２，１４のそれぞれのためのカプラーディスク２４と、カプラーディスク２４を接続する長尺トリップ部材２１と、を備えている。各カプラーディスク２４に対して、一側面は、アクチュエータ２２の対応する開口部２７内に収まる２つの突起２６を有し、他側面は、単一の回動突起２８を有している。長尺トリップ部材２１は、対応する回動突起２８上に収まる２つの離間した回動開口部３０，３１を有し、これにより、長尺トリップ部材２１上に２つの離間した回動点を形成する。回動開口部３０，３１を離す間隔は、アクチュエータ回動点２３を離す間隔にほぼ等しい。組み立てられると、カプラーディスク２４は、内側ケース１８の円形開口部３２内に収まり、このため、長尺トリップ部材は、回路遮断器１２，１４の内側ケース１８の外側前面３５に沿って着座する。
【００２７】
図３及び図４は、各回路遮断器１２，１４の内部構成要素の側面図である。回路遮断器は、ライン端子１１０に接続された静止接点１０５を含んでいる。ライン端子は、電力源から電気を受け取る。可動接点１１５が、図３に示す閉鎖位置と図４に示す開放位置／トリップ状態との間で動かすことができる可動接点アーム１２０上に配置されている。
【００２８】
可動接点１１５は、故障検出器１５０及びコネクタ１１６を通じて負荷端子１６０に接続されている。図３に示すように可動接点１１５が閉鎖位置／非トリップ状態にあると、静止接点１０５及び可動接点１１５は互いに接触し、電気はライン端子１１０から接点１０５及び１１５を通って負荷端子１６０へ流れることができる。
【００２９】
また、可動接点アーム１２０は、折畳式リンク装置１４５を含むトリップ機構１４０に接続されている。故障検出器１５０は、故障状況、例えば過電流が生じると、トリップ機構１４０を作動させ、それにより、折畳式リンク装置１４５を折り畳んで接点１０５，１１５を離す。折畳式リンク装置１４５は、アクチュエータ２２が時計回りの方向に回転させられるときにアクチュエータ２２を介して折り畳むこともできる。
【００３０】
いくつかの利用では、故障検出器は、回路とインラインで配置されたソレノイドである。ソレノイドを通る電流が所定レベルを超えると、ソレノイドは、トリップ機構を作動させるのに十分な電磁場を発生させる。ソレノイドは、選択的に、電流が所定レベルを超えたときにトリップ機構を作動させるプランジャ又は他の接極子を組み込んでいてもよい。
【００３１】
特定の状況が生じたときにトリップ機構をトリップさせる他の故障検出方法が、使用されてもよいことが理解される。
【００３２】
ハンドル１５は、折畳式リンク装置１４５を介して可動接点アーム１２０に接続されている。ハンドル１５は、可動接点アーム１２０を開閉するために設けられている。
【００３３】
図５及び図６は、組み立てられた遮断器１２，１４及び図１の共通トリップ組立体２０の切断側面図である。図５は、非トリップ状態にある組み立てられた遮断器１２，１４を示し、図６は、トリップ状態にある組み立てられた遮断器１２，１４を示している。図５において矢印によって指示されるように、遮断器１２，１４の一方がトリップすると、長尺トリップ部材２１は、非トリップ状態の遮断器における相互接続されたカプラーディスク２４を押すか又は引くことによって、他方の遮断器をトリップさせる。従って、左側の回路遮断器１２が故障状況、例えば過電流を経験すると、故障検出器１５０は、トリップ機構１４０を作動させ、折畳式リンク装置１４５を折り畳ませ、接点１０５，１１５を離し、カプラーディスク２４を時計回りに回転させる。左側の回路遮断器１２におけるカプラーディスク２４の回転は、その後、長尺トリップ部材２１を通じて右側の回路遮断器１４のカプラーディスク２４に伝達され、トリップ機構１４０を作動させ、折畳式リンク装置１４５を折り畳ませ、右側の回路遮断器１４の接点１０５，１１５を離す。
【００３４】
図５及び図６にさらに示すように、カプラーディスク２４と内側ケース１８上の円形開口部３２との間には間隙が設けられている。設けられた間隙の幅は、用途によって変わる。例えば、重量級の用途では、カプラーディスク２４によってトリップ部材２１にかけられる力は、迅速であり、且つ高い規模を有し、これは、長尺トリップ部材２１を通じて伝達されるときに、カプラーディスク２４をシフトさせてアクチュエータ２２を通じてトリップ機構に大きな量の力をかける。このような力は、誤動作と、回路遮断器の構成要素への早過ぎる摩耗と、を引き起こす可能性がある。従って、この力を制限するために、カプラーディスク２４と内側ケース１８上の円形開口部３２との間に設けられた間隙は、作動中にカプラーディスク２４の外縁部４０が内側ケース１８における円形開口部３２の内縁部４２と相互作用するように、狭くされている。この相互作用は、支持面として作用し、且つシステムでの運動をアクチュエータ２２上での所望の回転運動に制限することに役立つ。内側ケース１８上の円形開口部３２内に挿入されたカプラーディスク２４は、図５の遮断器の断面図である図７に示してある。
【００３５】
本発明において所定のタイプの回路遮断器が使用される場合、共通トリップ組立体２０を通じて回路遮断器のトリップ機構を同時にリセットすることは可能ではない。従って、故障の後又は遮断器が手動でトリップされた後に、回路遮断器組立体１０をリセットするために、回路遮断器のハンドル１５を接続することが必要である。図８から図１３は、回路遮断器１２，１４のハンドル１５のためのコネクタの３つの異なる実施形態を示している。図８及び図９の実施形態は、留め具５２を介してハンドル１５における孔１７と接続する接続バー５０を示している。図１０及び図１１の実施形態は、単一の部品コネクタ６０を示している。単一の部品コネクタ６０は、中心ハンドル部分６８を有しており、２つの脚部６２，６４が、中心ハンドル部分６８の両側から延在している。脚部６２，６４の４つすべてが、内側に延在する突起６６を有している。４つの突起６６は、ハンドル１５内の孔１７と接続する。
【００３６】
図１２及び図１３は、ハンドルコネクタ８０の第３実施形態を示し、この実施形態では、カバー７０は、共通トリップ組立体２０と回路遮断器１２，１４のためのハンドル１５との双方を隠すためにＬ字状で形成されている。カバー７０は、回路遮断器１２，１４のためのハンドル１５が収容された開放空間７６と、ハンドルコネクタ８０へのアクセスのための頂部開口部７２と、を有している。開放空間７６は、ハンドルコネクタ８０を収納し、ハンドルコネクタ８０が前後にスライドするためのトラックを提供する。ハンドルコネクタ８０は、それらの先端でキャビティ８４を有する２つの延在部品８２を有している。各遮断器１２，１４のためのハンドル１５は、延在部品８２の端部においてキャビティ８４内に収まっている。回路遮断器１２，１４を手動でトリップ又はリセットする場合、使用者は、ハンドルコネクタ８０を所望の位置に単に動かし、遮断器のハンドル１５は、各延在部品８２の端部においてキャビティ８４によって作動される。図１２及び図１３に示す実施形態の利点は、Ｌ字状ケースが組立体に、より大きな剛性を提供するとともに、ハンドル１５が延在する範囲を通って塵及び破片が遮断器１２，１４の内部に入ることを防止することである。
【００３７】
パーツの特別な配置及び特徴などを参照して本発明が説明されたが、これらは、全ての考えられる配置又は特徴を網羅するよう意図されず、実際には、多くの修正及び変形が、当業者には確かめられるであろう。
【符号の説明】
【００３８】
１２  第１回路遮断器、１４  第２回路遮断器、１５  第１ハンドル，第２ハンドル、１６，１８  第１ハウジング，第２ハウジング、２１  長尺トリップ部材、２４  第１カプラーディスク，第２カプラーディスク、２５，７０  カバー、３０  第１回動接続部、３１  第２回動接続部、３２  円形開口部、３５  第１側面，第２側面、３６  ２つの端部、４０  外縁部、４２  内縁部、５０，６０，８０  コネクタ，ハンドルカプラー、５２  第１留め具，第２留め具、６２，６４  脚部、６６  第１突起，第２突起、６８  中央セクション、８４  第１キャビティ，第２キャビティ、１０５，１１５  接点、１４０  第１トリップ機構，第２トリップ機構、１４５  回路遮断器リンク機構
【図１】
2017033934.tif 000003
【図２】
2017033934.tif 000004
【図３】
2017033934.tif 000005
【図４】
2017033934.tif 000006
【図５】
2017033934.tif 000007
【図６】
2017033934.tif 000008
【図７】
2017033934.tif 000009
【図８】
2017033934.tif 000010
【図９】
2017033934.tif 000011
【図１０】
2017033934.tif 000012
【図１１】
2017033934.tif 000013
【図１２】
2017033934.tif 000014
【図１３】
2017033934.tif 000015
【外国語明細書】
2017033934000001.pdf